(57)【要約】【課題】レボルバを上下に焦準移動させる顕微鏡であって、よりコストが低い顕微鏡の提供。【解決手段】顕微鏡本体６に取り付けられた弾性変形可能な板状部材３１と、板状部材３１を弾性変形させる焦準動作機構３３と、レボルバが当接されるガイド面８１ｃを備え顕微鏡本体６に対して固定されているガイド部材８１と、レボルバ３をガイド面８１ｃに当接するように付勢する付勢手段８２と、を有し、板状部材３１にはレボルバ３が取り付けられ、焦準動作機構３３によって板状部材３１を弾性変形することにより、ガイド面８１ｃにレボルバ３をガイドさせながらレボルバ３を上下に焦準移動させるようにした。【選択図】図１５
2010281975.tif 000002
【特許請求の範囲】
【請求項１】
ステージとレボルバとを保持する顕微鏡本体を有し、ステージ上に載置される標本に対してレボルバを上下に焦準移動させる顕微鏡であって、
前記顕微鏡本体に取り付けられた弾性変形可能な板状部材と、該板状部材を弾性変形させる焦準動作機構と、前記レボルバが当接されるガイド面を備え前記顕微鏡本体に対して固定されているガイド部材と、前記レボルバを前記ガイド面に当接するように付勢する付勢手段と、を有し、
前記板状部材に前記レボルバが取り付けられ、前記焦準動作機構によって前記板状部材を弾性変形させることにより、前記ガイド面に前記レボルバをガイドさせながら、該レボルバを上下に焦準移動させることを特徴とする顕微鏡。
【請求項２】
前記板状部材は、前記レボルバが取り付けられるレボルバ取付部と、
該レボルバ取付部の両側に形成され、顕微鏡本体に固定される顕微鏡本体取付部と、
を有することを特徴とする請求項１に記載の顕微鏡。
【請求項３】
前記板状部材は、前記レボルバ取付部を中心として対称に形成され、
前記顕微鏡本体取付部は、前記レボルバ取付部を中心として対称な位置に形成されていることを特徴とする請求項２に記載の顕微鏡。
【請求項４】
前記板状部材は、前記レボルバを取り付ける面が前記ステージ上面と平行となるように前記顕微鏡本体に取り付けられていることを特徴とする請求項１に記載の顕微鏡。
【請求項５】
前記レボルバ取付部は、前記顕微鏡本体取付部に対して、上下方向に段差を設けて形成されていることを特徴とする請求項２に記載の顕微鏡。
【発明の詳細な説明】
【技術分野】
【０００１】
本発明は、レボルバを上下に焦準移動させる顕微鏡に関する。
【背景技術】
【０００２】
従来、ラック＆ピニオンとボールガイドを組み合わせた焦準機構によってレボルバを上下に焦準移動させる顕微鏡がある（例えば、特許文献１参照）。このような顕微鏡は、大きな焦準ストロークを得ることが可能であるので、シャーレや、プレパラート、三角フラスコのような高さの異なる標本を観察する際に有用である。
【先行技術文献】
【特許文献】
【０００３】
【特許文献１】実開平５−２７４０６号公報
【発明の概要】
【発明が解決しようとする課題】
【０００４】
ところで、従来、プレパラート標本しか観察しない顕微鏡等の焦準ストロークの小さな顕微鏡がある。しかし、このような焦準ストロークの小さな顕微鏡においても、焦準機構が、焦準ストロークの大きな顕微鏡と同様の構成となっていた。従って、焦準ストロークの大きな顕微鏡と焦準ストロークの小さな顕微鏡は、部品の大小は異なるものの部品点数、組み立て方は同様であり、焦準ストロークの差によりコストの違いが少なかった。
【０００５】
そこで、本発明はこのような従来の問題に鑑み、レボルバを上下に焦準移動させる顕微鏡であって、よりコストが低い顕微鏡の提供を目的とする。
【課題を解決するための手段】
【０００６】
上述した課題を解決し、目的を達成するために、本発明の請求項１にかかる顕微鏡は、ステージとレボルバとを保持する顕微鏡本体を有し、ステージ上に載置される標本に対してレボルバを上下に焦準移動させる顕微鏡であって、前記顕微鏡本体に取り付けられた弾性変形可能な板状部材と、該板状部材を弾性変形させる焦準動作機構と、前記レボルバが当接されるガイド面を備え前記顕微鏡本体に対して固定されているガイド部材と、前記レボルバを前記ガイド面に当接するように付勢する付勢手段と、を有し、前記板状部材に前記レボルバが取り付けられ、前記焦準動作機構によって前記板状部材を弾性変形させることにより、前記ガイド面に前記レボルバをガイドさせながら、該レボルバを上下に焦準移動させることを特徴とする。
【０００７】
また、本発明の請求項２にかかる顕微鏡は、上記構成に加えて、前記板状部材は、前記レボルバが取り付けられるレボルバ取付部と、該レボルバ取付部の両側に形成され、顕微鏡本体に固定される顕微鏡本体取付部とを有することを特徴とする。
【０００８】
また、本発明の請求項３にかかる顕微鏡は、上記構成に加えて、前記板状部材は、前記レボルバ取付部を中心として対称に形成され、前記顕微鏡本体取付部は、前記レボルバ取付部を中心として対称な位置に形成されていることを特徴とする。
【０００９】
また、本発明の請求項４にかかる顕微鏡は、上記構成に加えて、前記板状部材は、前記レボルバを取り付ける面が前記ステージ上面と平行となるように前記顕微鏡本体に取り付けられていることを特徴とする。
【００１０】
また、本発明の請求項５にかかる顕微鏡は、上記構成に加えて、前記レボルバ取付部は、前記顕微鏡本体取付部に対して、上下方向に段差を設けて形成されていることを特徴とする。
【発明の効果】
【００１１】
本発明にかかる顕微鏡は、弾性変形可能な板状部材にレボルバを取り付け、この板状部材を焦準動作機構によって弾性変形させることにより、レボルバを上下に焦準移動させるものである。また、ガイド部材のガイド面にレボルバをガイドさせてレボルバをガイドさせている。板状部材及びガイド面で、レボルバの焦準移動がガイドされるので、ボールガイドのような複雑な機構をガイドとして使用した場合と比較して、低コストで製造できる。
【図面の簡単な説明】
【００１２】
【図１】図１は、本実施の形態にかかる顕微鏡の外観を示す正面図である。
【図２】図２は、同上の顕微鏡の要部を示す正面図である。
【図３】図３は、同上の顕微鏡の要部を示す側面図である。
【図４】図４は、同上の顕微鏡に備えられた板状部材を示す斜視図である。
【図５】図５は、同上の顕微鏡の板状部材と焦準動作機構の連結部分を示す斜視図である。
【図６−１】図６−１は、同上の顕微鏡に備えられた板状部材を正面側上方からみた状態を示す斜視図である。
【図６−２】図６−２は、同上の板状部材の変形状態を示す斜視図である。
【図７−１】図７−１は、同上の顕微鏡の焦準動作機構を示す正面図である。
【図７−２】図７−２は、同上の顕微鏡の焦準動作機構を示す正面図である。
【図８】図８は、同上の顕微鏡の要部を示す斜視図である。
【図９】図９は、同上の顕微鏡の要部を示す斜視図である。
【図１０】図１０は、同上の顕微鏡のハンドル操作機構を示す側面図である。
【図１１】図１１は、同上の顕微鏡のハンドル操作機構を示す断面図である。
【図１２】図１２は、同上の顕微鏡のハンドル操作機構を示す断面図である。
【図１３】図１３は、同上の顕微鏡のハンドル操作機構を示す断面図である。
【図１４】図１４は、同上の顕微鏡に備えられた板状部材の変形例を示す斜視図である。
【図１５】図１５は、同上の顕微鏡の要部を示す側断面図である。
【図１６】図１６は、同上の顕微鏡のガイド機構を示す断面図である。
【図１７】図１７は、同上の顕微鏡のガイド機構の変形例を示す断面図である。
【図１８】図１８は、同上の顕微鏡のガイド機構の他の変形例を示す断面図である。
【発明を実施するための形態】
【００１３】
以下に、本発明に係る顕微鏡の実施の形態を図面に基づいて詳細に説明する。以下、図においてＸ軸方向が顕微鏡の左右方向であり、Ｙ軸方向が顕微鏡の前後方向であり、Ｚ軸方向が顕微鏡の上下方向である。更に、Ｙ軸の正の方向が顕微鏡の前側（正面側）、負の方向が顕微鏡の後側である。
【００１４】
図１は、本実施の形態にかかる顕微鏡の外観を示す正面図である。図２は、その要部を示す正面図であり、図３は、同側面図である。
【００１５】
本発明にかかる顕微鏡１は、ステージ２と、レボルバ３と、鏡筒４と、焦準機構５と、これらを支持する顕微鏡本体６と、を有する。顕微鏡本体６は、ベース部１１と柱部１２とアーム部１３とを備えている。ベース部１１は、顕微鏡本体６の底部を構成する部分であり、顕微鏡１が机上等に載置された際に、直接机上に接し、顕微鏡１全体を支持する部分である。柱部１２は、略板状に形成され、ベース部１１の奥側にベース部１１から上方に向かって延在するように設けられている。アーム部１３は、ベース部１１の上方に、柱部１２から顕微鏡１正面側に向かって延在するように設けられている。
【００１６】
アーム部１３は、一対の腕部材１３ａと、アーム部天板１３ｂとを有している。一対の腕部材１３ａは、一端側が柱部１２に固定され、他端側が顕微鏡１正面側に向かって延在するように配設されている。また、腕部材１３ａは、互いに左右方向に間隔を開けて略平行に配設されている。アーム部天板１３ｂは、略矩形板状に形成され、左右の腕部材１３ａの上部に掛けわたされるように設置されている。
【００１７】
アーム部天板１３ｂの顕微鏡１正面側には、一対の板状部材台座１４が設置されている。この板状部材台座１４は、断面が略Ｌ字状に形成され、アーム部天板１３ｂの左右両端の角部に嵌るように設置されている。また、アーム部天板１３ｂには、リンク部材挿通孔１５と、観察光路用孔と、レボルバ取付用孔１６とがアーム部天板１３ｂの表裏を貫通するように形成されている。レボルバ取付用孔１６は、前述の板状部材台座１４間に形成されている。観察光路用孔は、対物レンズを通った観察光が鏡筒４内に入るように、レボルバ取付用孔１６と一体に形成されている。リンク部材挿通孔１５は、アーム部天板１３ｂの後方側に形成されている。
【００１８】
このように構成されている顕微鏡本体６には、ステージ２とレボルバ３と鏡筒４と焦準機構５とが設置されている。ステージ２は、ベース部１１に取り付けられている。ステージ２は、柱部１２より手前側であって、ベース部１１上に配置されている。ステージ２の上面は、標本載置面２ａとなっている。この標本載置面２ａには、観察対象であるプレパラート標本等の標本が載置される。ステージ２には、ステージハンドル２ｂと標本保持移動機構２ｃが備えられている。標本は、標本保持移動機構２ｃに保持され、ステージハンドル２ｂを操作することにより、ステージ２の標本載置面２ａ上を、前後左右方向へ移動する。
【００１９】
鏡筒４は、アーム部１３の上側に取り付けられている。鏡筒４には、一対の接眼レンズ２１が備えられている。鏡筒４は、概略筒状に形成され、鏡筒台座２２を介してアーム部１３に設置されている。鏡筒台座２２は、アーム部天板１３ｂの上面側に設置されている。鏡筒台座２２は、柱状に形成された脚部２２ａと、板状に形成された台座天板２２ｂとを有している。台座天板２２ｂは、略矩形状に形成されている。脚部２２ａは、アーム部天板１３ｂの上面に４つ立設されている。そして、この４つの脚部２２ａに四隅を支持させるようにして台座天板２２ｂが配設されている。このように構成された鏡筒台座２２を覆うように鏡筒４が配設されている。鏡筒４内には、後述する対物レンズ２３から接眼レンズ２１に至る光路上に結像レンズや、プリズム等の所定の光学素子が配設されている。
【００２０】
レボルバ３は、顕微鏡本体６のアーム部１３に取り付けられ、ステージ２の上方に配置されている。レボルバ３は、レボルバ本体部３ａとレボルバ回転部３ｂとを有している。レボルバ本体部３ａには、回転軸が備えられ、この回転軸を中心として回転可能にレボルバ回転部３ｂが取り付けられている。レボルバ回転部３ｂには、回転中心の周囲に複数の倍率の異なる対物レンズ２３が取り付け可能となっている。レボルバ回転部３ｂは、回転軸を中心にレボルバ３本体に対して回転させることにより、観察光路上に配置される対物レンズ２３を択一的に入れ替えることができる。レボルバ３は、焦準機構５に取り付けられ、上下方向に焦準移動するようになっている。
【００２１】
焦準機構５は、板状部材３１と、図７に示す、板状部材３１を動かす焦準動作機構３３と、図５に示す、板状部材３１と焦準動作機構３３とを連結する連結機構３４と、を有している。レボルバ３は、焦準機構５の板状部材３１に取り付けられている。
【００２２】
板状部材３１は、図４に示すように、それぞれ略矩形板状に形成された、レボルバ取付部３１ａと、一対の顕微鏡本体取付部３１ｂと、一対の段差部３１ｃと、一対の腕部３１ｄと、を有している。板状部材３１は、レボルバ取付部３１ａの板状面がステージ２の標本載置面２ａと略平行となるように配設されている。板状部材３１は、このレボルバ取付部３１ａを中心として、左右対称に形成されている。また、板状部材３１は、前後方向も対称となっている。レボルバ取付部３１ａの左右方向両端部には、レボルバ取付部３１ａの左右方向両端部から立ち上がるように段差部３１ｃが形成されている。この段差部３１ｃの上端部には、段差部３１ｃの上端部から互いに離れる方向に延在するように一対の腕部３１ｄが形成されている。そして、腕部３１ｄの延在方向先端から垂下するように、顕微鏡本体取付部３１ｂが形成されている。
【００２３】
板状部材３１は、図８に示すように、顕微鏡本体６のアーム部１３において、一対の板状部材台座１４間に掛けわたされるように設置されている。板状部材３１は、腕部３１ｄの一部が板状部材台座１４の上面に支持されるとともに、顕微鏡本体取付部３１ｂが板状部材台座１４の側面にビス１７によって固定されている。板状部材３１の腕部３１ｄは、板状部材台座１４の厚み分、アーム部天板１３ｂよりも上方に配置されている。
【００２４】
板状部材３１は、その一対の段差部３１ｃがアーム部１３のレボルバ取付用孔１６に挿入され、その先端のレボルバ取付部３１ａがアーム部天板１３ｂの下側に位置するように配設されている。そして、このレボルバ取付部３１ａにレボルバ３のレボルバ本体部３ａが固定されている。レボルバ３は、レボルバ本体部３ａを板状部材３１に固定させて、板状部材３１の下側に配置されている。即ち、レボルバ３は、アーム部天板１３ｂの下側に配置されている。
【００２５】
また、板状部材３１には、板状部材３１を上側に付勢するバネ３２が取り付けられている。バネ３２は、その一端が鏡筒台座２２の台座天板２２ｂに固定され、台座天板２２ｂから垂下されるように配設されている。バネ３２の下側端部は、板状部材３１に取り付けられた後述する軸取付部４１に固定されている。バネ３２は、顕微鏡１の左右方向に並ぶように２つ配設され、対となっている。板状部材３１は、このバネ３２によってレボルバ３の重量に対応する分、上側に付勢されている。即ち、バネ３２がレボルバ３の重量を負担するようになっている。従って、板状部材３１を動作させる焦準動作機構３３の負担を軽くすることができる。また、板状部材３１の負担も軽くすることができる。
【００２６】
板状部材３１は、連結機構３４を介して焦準動作機構３３と連結されている。板状部材３１は、レボルバ取付部３１ａが焦準動作機構３３と連結されており、レボルバ取付部３１ａが焦準動作機構３３によって上方に引き上げられることにより弾性変形する。板状部材３１は、図６−１に示す状態から、焦準動作機構３３によってレボルバ取付部３１ａが引き上げられた際には、図６−２に示すように弾性変形する。即ち、板状部材３１は、腕部３１ｄがそのレボルバ取付部３１ａ側が持ち上がるように変形するとともに、一対の段差部３１ｃがその上側が互いに離れる方向に変形或いは移動するように、弾性変形する。
【００２７】
板状部材３１の弾性変形は、主に、顕微鏡本体取付部３１ｂの折り曲げ箇所から、腕部３１ｄ、段差部３１ｃで起こる。また、段差部３１ｃを設けていることにより、レボルバ取付部３１ａを上下方向に平行移動させることができる。また、段差部３１ｃを設けていることにより、レボルバ取付部３１ａを上下に移動させる際の余裕となっている。板状部材３１を段差部３１ｃを設けず、段差のない一枚板とした場合、両端を固定して、中央部を上下に移動させようとしても、ほとんど変形しない。
【００２８】
尚、板状部材３１は、レボルバ３の上下方向の位置がレボルバ３に取り付けられた対物レンズ２３が標本に略ピントがあう位置にあるときに、変形していない状態となるように配設されている。
【００２９】
板状部材３１は、前後左右対称に形成されているので、中央に配設されているレボルバ取付部３１ａを上下移動させると、レボルバ取付部３１ａが略垂直方向に上下するように弾性変形する。即ち、板状部材３１は、レボルバ取付部３１ａがステージ２上面と平行な状態を保ったまま上下に移動するように弾性変形する。従って、レボルバ３自体も、略垂直方向に上下動することとなり、レボルバ３が的確に焦準移動するようになっている。このように、板状部材３１によって、レボルバ３の移動方向がガイドされる。
【００３０】
連結機構３４は、図５に示すように、軸取付部４１と、板側連結軸４２と、連結リング４３と、リンク側連結軸４４と、を有している。軸取付部４１は、板状に形成され、板状部材３１のレボルバ取付部３１ａの上面から突出するように配設されている。板側連結軸４２は、軸取付部４１に、顕微鏡１後方側に向けて突設されている。板側連結軸４２は、略円柱状の胴部４２ａと、突出方向先端部に形成され、胴部４２ａよりも径の大きな円盤状に形成された頭部４２ｂとを有している。この板側連結軸４２の胴部４２ａには、連結リング４３が配設されている。連結リング４３は、縦長状に形成され、連結リング４３のリング孔４３ａも縦長状に開口している。連結リング４３は、リング側連結軸がリング孔４３ａに挿入されて、リンク側連結軸４４から垂下されるように配設されている。また、リング孔４３ａのリング側連結軸の下側に、板側連結軸４２が挿入されている。
【００３１】
リンク側連結軸４４は、略円柱状の胴部４４ａと、突出方向先端部に形成され、他の部分よりも径の大きな円盤状に形成された頭部４４ｂとを有している。リンク側連結軸４４と板側連結軸４２とは、ともにその胴部４４ａ，４２ａがリング孔４３ａに摺動可能に挿入されている。また、リンク側連結軸４４と板側連結軸４２の頭部４４ｂ，４２ｂは、ともにリング孔４３ａの短径方向の長さよりも大きな径に形成されている。リンク側連結軸４４は、後述する焦準動作機構３３のリンク部材５２に突設されている。
【００３２】
また、リンク側連結軸４４と板側連結軸４２とは、その中心軸が略平行となるように配設されている。そして、例えば、リンク側連結軸４４が、左斜め上方に移動した際に、その上方への移動が連結リング４３を介して、板側連結軸４２に伝達される。
【００３３】
焦準動作機構３３は、板状部材３１のレボルバ取付部３１ａを上方に持ち上げるように力を加えることにより、板状部材３１を弾性変形させ、レボルバ３を焦準移動させる機構である。焦準動作機構３３は、ハンドル操作機構５１と、ハンドル操作機構５１の操作を板状部材３１に伝達するリンク部材５２と、を備えている。
【００３４】
リンク部材５２は、第一リンク板５３と、第二リンク板５４とを有している。第一リンク板５３は、第一リンク本体部５３ａと、固定部５３ｂと、ハンドル操作受部５３ｃと、回転中心部５３ｄとを有している。第一リンク本体部５３ａは、略縦長板状に形成され、上下方向に延在するように顕微鏡本体６に配設されている。第一リンク本体部５３ａは、アーム部天板１３ｂのリンク部材挿通孔１５を通ってアーム部天板１３ｂ上方に突出するように配設されている。また、第一リンク本体部５３ａは、図７−１、図７−２に示すように、その板状面がＹ軸方向を向くように配設されている。第一リンク本体部５３ａの下側端部には、ハンドル操作受部５３ｃが設けられている。ハンドル操作受部５３ｃは、左側側面が凹状に形成され、その凹状内面に後述するハンドル軸６１の先端部分が嵌るようにして当接するようになっている。
【００３５】
第一リンク本体部５３ａの上端部は、前側に折り曲げた形状に形成され、固定部５３ｂとなっている。この固定部５３ｂに第二リンク板５４が固定されている。第一リンク本体部５３ａの略上側に、回転中心部５３ｄが第一リンク本体部５３ａから左側に突出するように形成されている。回転中心部５３ｄには、回転中心部５３ｄを表裏に貫通する貫通孔が形成され、リンク回転軸５５が挿通されている。そして、このリンク回転軸５５を回転中心として、第一リンク板５３が回転するようになっている。リンク回転軸５５は、顕微鏡１前後方向に延在するように顕微鏡本体６に配設されている。従って、第一リンク板５３は、顕微鏡１の左右方向に回転する。
【００３６】
第二リンク板５４は、図８に示すように、一端側が第一リンク板５３の固定部５３ｂに固定され、他端側が板状部材３１と連結されている。第二リンク板５４は、第一リンク板５３から顕微鏡１正面側に向かって延在するように配設されている。第二リンク板５４の両端部分は、互いに逆方向に曲げられたＬ字状に形成されている。第二リンク板５４の板状部材３１と連結されている部分である連結部５４ａは、略板状に形成され、その板状面がＹ軸方向を向くように配置されている。第二リンク板５４の連結部５４ａには、リンク側連結軸４４が設けられている。リンク側連結軸４４は、顕微鏡１前後方向に延在するように配設されている。リンク側連結軸４４は、先端が、顕微鏡１正面側を向くように配設されている。
【００３７】
リンク部材５２は、リンク回転軸５５を中心軸として回転する。例えば、図７−１に示す状態から、リンク回転軸５５を中心軸としてリンク部材５２を左回りに回転させると図７−２に示す状態となる。この際、第二リンク板５４は、回転しながら左斜め上方に移動する。この第二リンク板５４の回転移動は、連結機構３４を通じて、上方への移動のみ、板状部材３１のレボルバ取付部３１ａに伝達され、図９に示すようにレボルバ取付部３１ａが持ち上がる。この状態から、リンク部材５２を右回りに回転させると元の図７−１に示す状態となる。
【００３８】
ハンドル操作機構５１は、図１０〜図１３に示すように、先端がリンク部材５２に当接されるハンドル軸６１と、ハンドル軸６１を軸方向に移動させる粗動ハンドル６２及び微動ハンドル６３と、これらを支持するハンドル枠６４とを有している。
【００３９】
ハンドル枠６４は、略円筒状に形成され、その一端側がベース部１１の側面から突出するようにベース部１１に固定されている。ハンドル枠６４の外周面には、図１０に示すように、ハンドル枠６４の内外を貫通するカム孔６５が開口されている。このカム孔６５は、ハンドル枠６４の外周に沿って斜めに溝状に開口されている。このカム孔６５には、後述する粗動カムピン６６が挿入され、粗動ハンドル６２を回転させた際に、粗動カムピン６６がカム孔６５にガイドされて、カム孔６５の開口一端側から他端側に移動することにより、粗動ハンドル６２が軸方向に移動するようになっている。
【００４０】
ハンドル枠６４の内側には、図１１に示すように、粗動ハンドル６２が摺動可能に嵌合されている。粗動ハンドル６２は、一端側が円筒状に形成された円筒状部６２ａとなっており、他端側が円柱状に形成された円柱状部６２ｂとなっている。そして、この円柱状部６２ｂが、ハンドル枠６４内に摺動可能に嵌合されている。円柱状部６２ｂには、円柱状部６２ｂの外周面から突出するように粗動カムピン６６が固定されている。粗動カムピン６６は、ハンドル枠６４のカム孔６５からハンドル枠６４の外側に突出している。また、円柱状部６２ｂの内部には、ハンドル軸受け６７が固定されている。ハンドル軸受け６７は、略円筒状に形成され、円柱状部６２ｂの中心軸と同軸配置に配設されている。また、ハンドル軸受け６７の内面には、雌ネジが切られている。この雌ネジに嵌りあうように、ハンドル軸６１がねじ込まれている。
【００４１】
一方、粗動ハンドル６２の円筒状部６２ａ内面には、微動ハンドル６３が摺動可能に嵌合されている。微動ハンドル６３は、略円柱状に形成されている。微動ハンドル６３には、微動ハンドル６３の中心軸と同軸配置にかつ微動ハンドル６３と一体にハンドル軸６１が備えられている。ハンドル軸６１の外周面には、ネジが切られている。ハンドル軸６１は、微動ハンドル６３の一方側から突出し、ハンドル軸受け６７を通り、顕微鏡本体６内に突出するように配設されている。そして、このハンドル軸６１の先端部が、リンク部材５２のハンドル操作受部５３ｃに当接されている。
【００４２】
このように構成されたハンドル操作機構５１は、粗動ハンドル６２をハンドル枠６４に対して中心軸周りに回転させると、粗動カムピン６６がカム孔６５に沿って移動するので、粗動ハンドル６２が軸方向に移動する。粗動ハンドル６２を回転させた際には、微動ハンドル６３とハンドル軸６１とが粗動ハンドル６２と一体に回転するので、ハンドル軸６１も軸方向に移動する。従って、例えば図１１に示す状態から、粗動ハンドル６２を回転させると図１２に示す状態となるまで、粗動ハンドル６２と微動ハンドル６３とハンドル軸６１が移動する。
【００４３】
また、微動ハンドル６３をハンドル軸６１を回転軸として回転させると、ハンドル軸受け６７に対して、微動ハンドル６３及びハンドル軸６１が回転し、回転軸方向に微動ハンドル６３及びハンドル軸６１が移動する。例えば、図１１に示す状態から微動ハンドル６３を回転させると、図１３に示す状態となるまで微動ハンドル６３及びハンドル軸６１が移動する。
【００４４】
ハンドル操作機構５１は、粗動ハンドル６２及び微動ハンドル６３を回転操作させることにより、ハンドル軸６１を軸方向、即ち左右方向に移動させることができる。ハンドル軸６１の先端は、リンク部材５２のハンドル操作受部５３ｃに当接されており、ハンドル軸６１の軸方向の移動によってリンク部材５２が回転する。
【００４５】
また、顕微鏡１には、図１５〜図１６に示すように、レボルバ３の焦準移動をガイドするガイド機構が備えられている。このガイド機構は、ガイド部材８１と、レボルバ３をガイド部材８１に付勢する付勢手段８２とを有している。ガイド部材８１は、ガイド部材本体部８１ａとフランジ部８１ｂとを有している。ガイド部材本体部８１ａは、図１６に示すように、上方から見て断面略Ｌ字状に形成されている。そして、Ｌ字の内側面がガイド面８１ｃとなっている。この一対のガイド面８１ｃは、互いに交差している。ガイド面８１ｃは顕微鏡１の上下方向に延在するように形成されている。ガイド面８１ｃは、観察光路上に配設されている対物レンズ２３の光軸と平行となっている。ガイド面８１ｃは、平面状に形成されている。ガイド面８１ｃにレボルバ本体３ａの側面が当接されるようになっている。また、ガイド面８１ｃの中央付近には、上下方向に延在するように溝８３が形成されている。そして、この溝８３内に、グリスなどの潤滑剤８５が充填されている。
【００４６】
ガイド部材本体部８１ａの上端部には、外側に向かって折り返されたように形成されたフランジ部８１ｂが配設されている。このフランジ部８１ｂが、顕微鏡本体６のアーム部天板１３ｂの下面に当接され、アーム部天板１３ｂにビス８４によって固定されている。尚、ガイド部材８１は、アルミ等の非磁性材料によって構成されている。
【００４７】
ガイド部材本体部８１ａの外側面には、付勢手段８２が固定されている。付勢手段８２は、磁性体によって構成されている。付勢手段８２は、略直方体状に形成され、ガイド部材本体部８１ａの外側面を構成する２面にそれぞれ配設されている。付勢手段８２は、ガイド部材本体部８１ａを挟んで、レボルバ本体部３ａの側面と対向するようになっている。
【００４８】
レボルバ本体部３ａは、略角柱状に形成されている。レボルバ本体部３ａの側面は、ガイド部材８１のガイド面８１ｃと面接触している。レボルバ本体部３ａの下側端部にレボルバ回転部３ｂが、斜めに配設されている。レボルバ本体部３ａは、金属等の磁性を有する材料で形成されている。そして、レボルバ本体部３ａは、磁性体によって構成されている付勢手段８２の磁力によって、レボルバ本体部３ａの側面がガイド面８１ｃに当接する方向に付勢されている。尚、付勢手段８２は、レボルバ３の焦準ストローク全域でレボルバ３を付勢可能な大きさに形成されている。
【００４９】
図７−１、図８に示す状態から、ハンドル操作機構５１を操作し、ハンドル軸６１を右方向に突出させる。そうすると、リンク部材５２がリンク回転軸５５を中心に左回りに回転する。その際には、リンク部材５２のリンク側連結軸４４が左斜め上方に移動し、連結リング４３を左斜め上方に引っ張る。連結リング４３は、左回りに回転しながら、板側連結軸４２を上方に持ち上げる。板側連結軸４２は、板状部材３１にガイドされながら、レボルバ取付部３１ａとともに上方に持ち上げられる。レボルバ取付部３１ａが持ち上げられるとレボルバ３も持ち上げられる。レボルバ取付部３１ａは、その板状面がステージ２の標本載置面２ａと平行な状態を保ったまま、持ち上げられる。従って、レボルバ３が観察光軸に沿って上方に焦準移動される。即ち、観察に使用している対物レンズ２３の光軸が標本と交わる状態を保ったまま上方に移動される。このようにして、図７−２、図９に示す状態になる。この状態から、ハンドル操作機構５１を反対に操作し、ハンドル軸６１を左方向に移動させる。そうすると、弾性変形されていた板状部材３１が元に戻ろうとする力及び、レボルバ３の重みにより、レボルバ３が先程とは逆に下方に焦準移動する。即ち、観察に使用している対物レンズ２３の光軸が標本と交わる状態を保ったまま下方に移動される。その際、板状部材３１の動きに追随して、リンク部材５２が右回りに回転する。
【００５０】
また、レボルバ３は、焦準移動させる際には、ガイド面８１ｃによってガイドされる。レボルバ本体部３ａの２側面が、一対のガイド面８１ｃに当接した状態を保つように付勢手段８２によって、レボルバ本体部３ａがガイド部材８１に付勢されている。従って、レボルバ３を焦準移動させる際には、レボルバ本体３ａの側面がガイド面８１ｃに対して摺動する。このようにして、レボルバ３がガイド部材８１にガイドされる。
【００５１】
尚、板状部材３１には、常に下方向に荷重がかかっているので、リンク部材５２には、常にリンク回転軸５５を中心にリンク部材５２が右回りに回転する方向に力が加わっている。従って、ハンドル軸６１の先端がハンドル軸受け６７に当接した状態が保たれるようになっている。
【００５２】
本実施の形態における顕微鏡１は、上述のような低コストな構成で確実にレボルバ３を上下に焦準移動できる。従来の顕微鏡のガイド部分であるボールガイドと、本発明における顕微鏡１のガイド部分である板状部材３１との部品点数を比較すると、ボールガイドはナカガイド１点にソトガイド２点、鋼球が多数必要であるのに対して、本発明では、板状部材の１点、ガイド部材１点、付勢手段１点である。また、組み立て工程を比較すると、ボールガイドの場合、ソトガイドと鋼球とナカガイド間に所定の摩擦が必要であり、ソトガイドを例えば１００Ｎのような大きな力で押圧しながら組み立てを行う。これに対し、本発明においては、組み立ては、板状部材３１をビス１７で固定する単純なものなのである。また、ボールガイドと比較して、板状部材３１をビス１７で固定するだけのシンプルな構成であるため、コンパクトな設計にも寄与する。本発明の構成は、特に、焦準ストロークの短い顕微鏡において有効である。
【００５３】
また、顕微鏡１は、ガイド部材８１と付勢手段８２とを備えているので、レボルバ３に机等の顕微鏡１が載置された場所から連続的に伝わる振動による微細なブレを防止できる。従って、高倍率での観察が行い易い。また、レボルバ３を焦準移動させる際にも、レボルバ３のブレを防止できるので、同焦位置が探し易く、同焦調整が容易にできる。更に、レボルバ３に不均等に対物レンズ２３を取り付けるなどにより、レボルバ３に偏荷重がかかった際においても、レボルバ３がガイド面８１ｃに支持されるので、観察像の心ズレを防止することができる。レボルバ３を正確に焦準移動させることができる。
【００５４】
尚、バネ３２は、必要なければ省いてもよい。また、板状部材３１は、上下にスムーズに変形できる部材であれば、板の厚み、幅、長さ、形状が異なるものを使用してもよい。更に、板状部材３１は、板状部材の中央部から左右方向に均等な位置を固定し、板状部材の中央部をステージ２の標本載置面２ａと平行な状態で上下方向に移動することができる形状であればよい。また、板状部材の個数も１つに限らなくてもよい。また、板状部材３１の材料としては、鉄鋼材料等、レボルバ３を焦準移動させた際や、レボルバ回転部３ｂを回転させて観察に使用する対物レンズ２３を交換する際の応力によって塑性変形、破壊しないものを使用する。
【００５５】
本実施の形態における焦準動作機構３３は、リンク部材５２の回転によって、板状部材３１のレボルバ取付部３１ａを上下させているが、これに限らず、プーリーとワイヤーを用いて垂直方向に引き上げる機構等、周知の機構を使用してもよい。また、ハンドル操作機構５１は、本実施の形態においては、ハンドル軸６１を軸方向に移動させる機構であるが、従来の機構と同様に、ラック＆ピニオンを使用してもよい。
【００５６】
尚、本実施の形態における顕微鏡１は、所謂、正立型顕微鏡であるが、同様の焦準機構を逆転させて倒立型顕微鏡としてもよい。また、本発明における焦準機構５は、レボルバ３を焦準移動させるものであるが、レボルバのみならず、コンデンサ、ＦＳ等の上下に位置を調整する必要のある光学部品の位置調整機構に適用してもよい。
【００５７】
（変形例）
以上、本発明の実施の形態について説明したが、本発明はこれに限定されず種々の変更を行うことができる。以下に図１４を参照しながら板状部材の変形例について説明する。尚、上述した実施の形態と同一の構成を有するものには同一の符号を付す。
【００５８】
上述の実施の形態における顕微鏡１において、板状部材３１のかわりに、図１４に示す板状部材７１を使用してもよい。板状部材７１は、それぞれ略矩形板状に形成された、レボルバ取付部７１ａと、一対の顕微鏡本体取付部７１ｂと、一対の段差部７１ｃと、一対の腕部７１ｄと、を有している。レボルバ取付部７１ａは、レボルバ取付部３１ａと同様に形成されており、レボルバ３及び軸取付部４１が取り付けられるようになっている。板状部材７１は、レボルバ取付部７１ａの板状面がステージ２の標本載置面２ａと略平行となるように配設される。
【００５９】
板状部材７１は、レボルバ取付部７１ａを中心として、前後及び左右対称に形成されている。レボルバ取付部７１ａの左右方向両端部には、レボルバ取付部７１ａの左右方向両端部から立ち上がるように段差部７１ｃが形成されている。この段差部７１ｃの上端部には、段差部７１ｃの上端部から互いに離れる方向に延在するように一対の腕部７１ｄが形成されている。そして、腕部７１ｄの延在方向先端から垂下するように、顕微鏡本体取付部７１ｂが形成されている。顕微鏡本体取付部７１ｂが、顕微鏡本体取付部３１ｂと同様に、板状部材台座１４に固定される。即ち、板状部材７１は、それぞれ、腕部７１ｄが腕部３１ｄと、段差部７１ｃが段差部３１ｃと、顕微鏡本体取付部７１ｂが顕微鏡本体取付部３１ｂと対応し、板状部材３１と同様に、アーム部１３に設置される。
【００６０】
腕部７１ｄには、切り欠き用孔７１ｅと、一対の外側切り欠き７１ｆと、一対の内側切り欠き７１ｇとが形成されている。切り欠き用孔７１ｅは、腕部７１ｄにおいて、腕部７１ｄと顕微鏡本体取付部７１ｂとの境目部分から、段差部７１ｃ側に向けて略矩形状に形成されている。外側切り欠き７１ｆは、切り欠き用孔７１ｅから段差部７１ｃに向けて形成されている。一対の外側切り欠き７１ｆは、互いに板状部材７１の幅方向に間隔を空けて、互いに平行に形成されている。
【００６１】
内側切り欠き７１ｇは、腕部７１ｄの段差部７１ｃ側の端部から、顕微鏡本体取付部７１ｂ側に向けて形成されている。一対の内側切り欠き７１ｇは、互いに板状部材７１の幅方向に間隔を空けて平行に形成されている。また、内側切り欠き７１ｇは、外側切り欠き７１ｆよりも、板状部材７１の幅方向内側に形成されている。尚、段差部７１ｃは、腕部７１ｄの一対の内側切り欠き７１ｇに挟まれる部分から垂下されるように形成されている。
【００６２】
このように構成されている板状部材７１は、板状部材３１と同様の作用効果を有するとともに、更に、上述のように外側切り欠き７１ｆと内側切り欠き７１ｇとが形成されていることにより、腕部７１ｄを長くしたことと似た効果を得ることができる。即ち、レボルバ取付部７１ａを、上下方向に容易に変位させることができる。また、焦準ストロークを大きくとることができる。
【００６３】
（変形例２）
以下に図１７を参照しながらガイド機構の変形例について説明する。尚、上述した実施の形態と同一の構成を有するものには同一の符号を付す。
本変形例２におけるガイド機構は、上述の実施の形態におけるガイド機構の代わりに顕微鏡１に設置することができる。このガイド機構は、ガイド部材９１と、レボルバ３をガイド部材９１に付勢する付勢手段８２とを有している。ガイド部材９１は、図１７に示すように、上方から見て断面略Ｌ字状に形成されている。そして、Ｌ字の内側面がガイド面９１ａとなっている。この一対のガイド面９１ａは、互いに交差している。ガイド面９１ａは顕微鏡１の上下方向に延在するように形成されている。ガイド面９１ａは、観察光路上に配設されている対物レンズ２３の光軸と平行となっている。ガイド面９１ａは、平面状に形成されている。ガイド面９１ａにレボルバ本体３ａの側面が当接されるようになっている。また、ガイド面９１ａの中央付近には、上下方向に延在するように溝８３が形成されている。そして、この溝８３内に、グリスなどの潤滑剤８５が充填されている。
【００６４】
ガイド部材９１の上端部には、外側に向かって折り返されたように形成されたフランジ部８１ｂが配設されている。このフランジ部８１ｂが、顕微鏡本体６のアーム部天板１３ｂの下面に当接され、アーム部天板１３ｂにビス８４によって固定されている。尚、ガイド部材９１は、アルミ等の非磁性材料によって構成されている。
【００６５】
ガイド部材９１の外側面には、付勢手段８２が固定されている。付勢手段８２は、磁性体によって構成されている。付勢手段８２は、略直方体状に形成され、ガイド部材９１の外側面を構成する２面にそれぞれ配設されている。ガイド部材９１は、Ｌ字の角部分を切り落とした面取り形状に形成されており、この切り落とし面に付勢手段８２が設置されている。
【００６６】
レボルバ本体部３ａの側面は、ガイド部材９１のガイド面９１ａと面接触している。レボルバ本体部３ａの下側端部にレボルバ回転部３ｂが、斜めに配設されている。レボルバ本体部３ａは、金属等の磁性を有する材料で形成されている。そして、レボルバ本体部３ａは、磁性体によって構成されている付勢手段８２の磁力によって、レボルバ本体部３ａの側面がガイド面９１ａに当接する方向に付勢されている。尚、付勢手段８２は、レボルバ３の焦準ストローク全域でレボルバ３を付勢可能な大きさに形成されている。
【００６７】
また、レボルバ３は、焦準移動させる際には、ガイド面９１ａによってガイドされる。レボルバ本体部３ａの２側面が、一対のガイド面９１ａに当接した状態を保つように付勢手段８２によって、レボルバ本体部３ａがガイド部材９１に付勢されている。従って、レボルバ３を焦準移動させる際には、レボルバ本体３ａの側面がガイド面９１ａに対して摺動する。このようにして、レボルバ３がガイド部材９１にガイドされる。
【００６８】
本変形例２におけるガイド機構は、上述の実施の形態と同様の構成を備えているので同様の効果を奏する。更に、付勢手段８２が１つですむので、より安価な構成とすることができる。
【００６９】
（変形例３）
以下に図１８を参照しながらガイド機構の変形例について説明する。尚、上述した実施の形態と同一の構成を有するものには同一の符号を付す。本変形例３におけるガイド機構は、実施の形態１におけるガイド機構の代わりに顕微鏡１に設置することができる。このガイド機構は、ガイド部材８１と、レボルバ３をガイド部材８１に付勢する付勢手段９２とを有している。
【００７０】
ガイド部材本体部８１ａの上端部には、外側に向かって折り返されたように形成されたフランジ部８１ｂが配設されている。このフランジ部８１ｂが、顕微鏡本体６のアーム部天板１３ｂの下面に当接され、アーム部天板１３ｂにビス８４によって固定されている。
【００７１】
ガイド部材本体部８１ａの外側面には、一対の付勢手段９２が固定されている。付勢手段９２は、バネ性を有する鉄鋼材料で形成された板バネである。付勢手段９２は、その一端がガイド部材本体部８１ａの外側面にビス９３によって固定され、他端側がレボルバ本体３ａの側面に当接するように延在している。また、レボルバ本体３ａの付勢手段９２が当接する部分には、潤滑剤８５が塗布されている。付勢手段９２は、ガイド部材本体部８１ａの外側面を構成する２面にそれぞれ配設されている。即ち、一対のガイド面８１ｃとレボルバ本体３ａを挟んで対向するように付勢手段９２がそれぞれ配設されている。そして、付勢手段９２とガイド部材本体部８１ａによって、レボルバ本体部３ａを挟持している。
【００７２】
付勢手段９２のバネ性によって、レボルバ本体部３ａの側面がガイド面８１ｃに当接する方向に付勢されている。尚、付勢手段９２は、レボルバ３の焦準ストローク全域でレボルバ３を付勢可能な大きさに形成されている。
【００７３】
また、レボルバ３は、焦準移動させる際には、ガイド面８１ｃによってガイドされる。レボルバ本体部３ａの２側面が、一対のガイド面８１ｃに当接した状態を保つように付勢手段９２によって、レボルバ本体部３ａがガイド部材８１に付勢されている。従って、レボルバ３を焦準移動させる際には、レボルバ本体３ａの側面がガイド面８１ｃに対して摺動する。このようにして、レボルバ３がガイド部材８１にガイドされる。
【００７４】
本変形例３におけるガイド機構は、上述の実施の形態と同様の構成を備えているので同様の効果を奏する。尚、付勢手段９２は、顕微鏡本体６に固定してもよい。また、付勢手段９２は、バネ性を有する材料であればよい。
【符号の説明】
【００７５】
１      顕微鏡
３      レボルバ
５      焦準機構
６      顕微鏡本体
３１    板状部材
８１  ガイド部材
８１ｃ  ガイド面
８２  付勢手段
【図１】
2010281975.tif 000003
【図２】
2010281975.tif 000004
【図３】
2010281975.tif 000005
【図４】
2010281975.tif 000006
【図５】
2010281975.tif 000007
【図６−１】
2010281975.tif 000008
【図６−２】
2010281975.tif 000009
【図７−１】
2010281975.tif 000010
【図７−２】
2010281975.tif 000011
【図８】
2010281975.tif 000012
【図９】
2010281975.tif 000013
【図１０】
2010281975.tif 000014
【図１１】
2010281975.tif 000015
【図１２】
2010281975.tif 000016
【図１３】
2010281975.tif 000017
【図１４】
2010281975.tif 000018
【図１５】
2010281975.tif 000019
【図１６】
2010281975.tif 000020
【図１７】
2010281975.tif 000021
【図１８】
2010281975.tif 000022